(57)【要約】【課題】夾雑物が浮遊しにくい位置に夾雑物受枠を設ける雨水貯留浸透システムを提供する。【解決手段】雨水を貯留又は浸透させる雨水貯留浸透槽２と、雨水貯留浸透槽２の内部に設置されて雨水に混入した夾雑物を受容する夾雑物受枠３と、を備える雨水貯留浸透システムＳである。  そして、雨水貯留浸透槽２には、雨水を貯留する貯留領域Ｔが設定されるとともに、夾雑物受枠３は、貯留領域Ｔよりも上に配置される。【選択図】図１
2010106533.tif 000002
【特許請求の範囲】
【請求項１】
雨水を貯留又は浸透させる雨水貯留浸透槽と、前記雨水貯留浸透槽の内部に設置されて雨水に混入した夾雑物を受容する夾雑物受枠と、を備える雨水貯留浸透システムであって、
前記雨水貯留浸透槽には、雨水を貯留する貯留領域が設定されるとともに、前記夾雑物受枠は、前記貯留領域よりも上に配置されることを特徴とする雨水貯留浸透システム。
【請求項２】
前記貯留領域は、前記雨水貯留浸透槽の上部に接続されたオーバーフロー管の設置高さ以下かつ前記雨水貯留浸透槽の計画水位以上に設定された貯留水位から、前記雨水貯留浸透槽の底面までの領域として設定されることを特徴とする請求項１に記載の雨水貯留浸透システム。
【請求項３】
前記雨水貯留浸透槽には、前記夾雑物受枠よりも下に別の夾雑物受枠が設けられることを特徴とする請求項１又は請求項２に記載の雨水貯留浸透システム。
【請求項４】
前記別の夾雑物受枠は、前記雨水貯留浸透槽の底部に配置されることを特徴とする請求項３に記載の雨水貯留浸透システム。
【請求項５】
前記雨水貯留浸透槽には、前記夾雑物受枠を載置する保持板材が配置されるとともに、前記夾雑物受枠には、夾雑物を受容する本体枠部と前記本体枠部から下方に突出する脚部とが設けられ、
前記夾雑物受枠は、前記脚部を介して前記保持板材に載置されることを特徴とする請求項１乃至請求項４のいずれか一項に記載の雨水貯留浸透システム。
【請求項６】
前記本体枠部には、前記脚部に対向する位置に通水孔が設けられるとともに、前記脚部には、前記通水孔を通じて落下した雨水を自然流下させる傾斜面が設けられることを特徴とする請求項５に記載の雨水貯留浸透システム。
【発明の詳細な説明】
【技術分野】
【０００１】
本発明は、雨水を貯留又は浸透させる雨水貯留浸透システムに関するものである。
【背景技術】
【０００２】
近年、都市化が急激に進んだことで、舗装の面積が増加したため、雨水が地中に浸み込まずに、一気に河川に流れ込むようになっている。
【０００３】
このため、都市型の洪水が起こる反面、普段は河川の流量が少なく、水質が悪化し、地下水が枯れるなどの問題が生じている。
【０００４】
また、地下水の低下によって渇水の危険性が高まり、緑地や街路樹などの潤いが失われ、気温の上昇や地中の乾燥化などが生じて、都市の気候変化をもたらすことも明らかになってきている。
【０００５】
このような問題を解決するために、雨水を貯留させる技術や雨水を地中に浸透させる技術が開発されている。
【０００６】
例えば、特許文献１には、雨水貯留浸透槽に流入する雨水に混入した土砂を傾斜部材によって分離し、分離された土砂を捕集する集砂部を備え、この集砂部が雨水貯留浸透槽の上部に設けることを特徴とする雨水調整施設が開示されている。
【０００７】
この構成によれば、人手によることなく土砂や木の葉等の浮遊物を雨水貯留浸透槽から自動的に除去できるようになる。
【特許文献１】特開２００７−２６２６５５号公報
【発明の開示】
【発明が解決しようとする課題】
【０００８】
しかしながら、前記した特許文献１は、雨水貯留浸透槽内の水位が高くなった場合に、集砂部に雨水を溢れさせる構成となっており、集砂部を超えて水位が上昇すると夾雑物が浮遊して傾斜部材に溜まって除去しにくくなるという問題や、短時間に大量の雨水が流入した際に集砂部で集めた土砂があふれてしまうといった問題があった。
【０００９】
そこで、本発明は、夾雑物が浮遊しにくい位置に夾雑物受枠を設ける雨水貯留浸透システムを提供するとともに、集砂効率を向上させることを目的としている。
【課題を解決するための手段】
【００１０】
前記目的を達成するために、本発明の雨水貯留浸透システムは、雨水を貯留又は浸透させる雨水貯留浸透槽と、前記雨水貯留浸透槽の内部に設置されて雨水に混入した夾雑物を受容する夾雑物受枠と、を備える雨水貯留浸透システムであって、前記雨水貯留浸透槽には、雨水を貯留する貯留領域が設定されるとともに、前記夾雑物受枠は、前記貯留領域よりも上に配置されることを特徴とする。
【００１１】
また、前記貯留領域は、前記雨水貯留浸透槽の上部に接続されたオーバーフロー管の設置高さ以下かつ前記雨水貯留浸透槽の計画水位以上に設定された貯留水位から、前記雨水貯留浸透槽の底面までの領域として設定される構成とすることができる。
【００１２】
さらに、前記雨水貯留浸透槽には、前記夾雑物受枠よりも下に別の夾雑物受枠が設けられる構成とすることができる。
【００１３】
そして、前記別の夾雑物受枠は、前記雨水貯留浸透槽の底部に配置される構成とすることが好ましい。
【００１４】
また、前記雨水貯留浸透槽には、前記夾雑物受枠を載置する保持板材が配置されるとともに、前記夾雑物受枠には、夾雑物を受容する本体枠部と前記本体枠部から下方に突出する脚部とが設けられ、前記夾雑物受枠は、前記脚部を介して前記保持板材に載置される構成とすることができる。
【００１５】
さらに、前記本体枠部には、前記脚部に対向する位置に通水孔が設けられるとともに、前記脚部には、前記通水孔を通じて落下した雨水を自然流下させる傾斜面が設けられることが好ましい。
【発明の効果】
【００１６】
このように、本発明の雨水貯留浸透システムは、雨水貯留浸透槽と夾雑物受枠とを備える雨水貯留浸透システムであって、雨水貯留浸透槽には雨水を貯留する貯留領域が設定されるとともに、夾雑物受枠は貯留領域よりも上に配置されることを特徴とする。
【００１７】
したがって、貯留領域よりも上に水位が上昇することはほとんどないため、夾雑物受枠に溜まった夾雑物が浮遊しにくく、メンテナンス性の良好な雨水貯留浸透システムとなる。
【００１８】
また、貯留領域は、オーバーフロー管の設置高さ以下かつ雨水貯留浸透槽の計画水位以上に設定された貯留水位から、雨水貯留浸透槽の底面までの領域として設定されるため、貯留水位より上には水位が上昇することはほとんどなくなる。
【００１９】
さらに、雨水貯留浸透槽には、夾雑物受枠よりも下に別の夾雑物受枠が設けられることで、上側の夾雑物受枠で捕捉されなかった夾雑物を下側の別の夾雑物受枠によって捕捉することができる。
【００２０】
そして、別の夾雑物受枠は、雨水貯留浸透槽の底部に配置される構成とすることで、上側の夾雑物受枠で捕捉されなかった夾雑物を、雨水貯留浸透槽の最下部において効率よく捕捉することができる。
【００２１】
また、雨水貯留浸透槽には保持板材が配置されるとともに、夾雑物受枠には本体枠部と脚部とが設けられ、夾雑物受枠は脚部を介して保持板材に載置されることで、雨水の流れを妨げることなく保持板材によって夾雑物受枠を支持することができる。
【００２２】
さらに、夾雑物受枠の本体枠部には通水孔が設けられるとともに、脚部には傾斜面が設けられることで、夾雑物受枠に受け入れた雨水を夾雑物と分離して、速やかに排水することができる。
【発明を実施するための最良の形態】
【００２３】
以下、本発明の最良の実施の形態について図面を参照して説明する。
【００２４】
まず、図２を用いて本発明の雨水貯留浸透システムＳの全体構成を説明する。
【００２５】
本発明の雨水貯留浸透システムＳは、図２，３に示すように、雨水が流入する流入管１と、雨水を貯留又は浸透させる雨水貯留浸透槽２と、この雨水貯留浸透槽２の内部に設置されて雨水に混入した夾雑物を受容する夾雑物受枠３と、雨水貯留浸透槽２の容量を超えて溢れ出る雨水を排水するオーバーフロー管４０と、雨水貯留浸透槽２に設置された夾雑物受枠３を点検するための点検マス５，５と、全体を覆って雨水を貯留させるための遮水シート６１と、を備えている。
【００２６】
なお、本実施の形態では、雨水貯留浸透システムＳが、遮水シート６１を用いる貯水タイプの雨水貯留浸透槽２に適用される場合について説明するが、これに限定されるものではなく、透水シートを用いる浸透タイプの雨水貯留浸透槽にも適用できる。
【００２７】
流入管１は、路面や公園の広場などから側溝などに流れ込んだ雨水を、雨水に混入した夾雑物とともに雨水貯留浸透槽２に流入させるためのもので、雨水貯留浸透槽２の側面においてオーバーフロー管４０よりも上方に接続されている。
【００２８】
さらに、オーバーフロー管４０は、貯留された雨水の量が雨水貯留浸透槽２の貯留容量を超えた場合に、雨水が逆流して路面などに溢れないように雨水を下水施設へ排水するためのものである。
【００２９】
そして、このオーバーフロー管４０の設置高さは、雨水貯留浸透槽２の貯留容量を十分に確保できるように、雨水貯留浸透槽２の側面の上部であって流入管１よりも下に接続される。
【００３０】
なお、このオーバーフロー管４０は、流入管１の上流側が高くなっていて逆流するおそれがない場合などには、流入管１よりも上に接続されるものであってもよい。
【００３１】
この他、オーバーフロー管４０は、雨水貯留浸透槽２の上面に接続されるものであってもよいし、雨水貯留浸透槽２に直接は接続されずに点検マス５や中継用のマス（不図示）などに接続されるものであってもよい。
【００３２】
また、点検マス５は、夾雑物受枠３に溜まった泥や砂や落ち葉などの夾雑物を点検・除去するためのもので、夾雑物受枠３に溜まった夾雑物を地上からバキュームホースを挿入して除去できるように、夾雑物受枠３の端部の上方から雨水貯留浸透槽２に挿入されている。
【００３３】
さらに、雨水貯留浸透槽２は、流入管１から流入した雨水を下水施設へ排水する前に一時的に貯留する機能や、雨水を地盤中に浸透させて地下水を涵養する機能などを有している。
【００３４】
そして、本実施の形態の雨水貯留浸透槽２は、図４に示すように、個々の充填部材として、上載荷重を支持するために補強された板状の上面部材２２、薄い三角柱状の連結片２３，・・・、高さのある三角柱状の脚材２４，・・・、雨水を一定方向に流すための傾斜面を備えた傾斜部材２５，・・・、雨水に混入した夾雑物を受け入れる夾雑物受枠３、夾雑物受枠３を載置するための保持板材２６，２６、板状の下面部材２７、などを上下方向に重ね合わせることで貯水のための空間を確保しつつ地表からの荷重などを支持するようになっている。
【００３５】
加えて、この雨水貯留浸透槽２には、図１に示すように、オーバーフロー管４０の底面の設置高さＨ１以下かつ計画水位Ｈ２以上に設定された貯留水位Ｈ３から、雨水貯留浸透槽２の底面２１までの領域が、貯留領域Ｔとして設定されている。
【００３６】
計画水位Ｈ２は、雨水貯留浸透槽２が通常の降雨によって貯留・浸透させる使用状態における水位であり、雨水貯留浸透システムＳの設置場所、集水面積などの水文学的な条件、設置場所付近の下水施設の能力、などを総合的に判断して計算して設定される。
【００３７】
そして、貯留水位Ｈ３は、設置高さＨ１以上で計画水位Ｈ２以下の範囲では、雨水の落差による水流の勢いなどによって夾雑物が飛散しないような高さで、広い範囲の夾雑物を集めるようになるべく下方に設置される。
【００３８】
また、傾斜部材２５は、図２の平面図に示すように、雨水を受ける傾斜面が雨水貯留浸透槽２の幅方向の中央近傍に配置された夾雑物受枠３の方向を向くように、向きを揃えて配置されている。
【００３９】
したがって、傾斜面上に溜まった夾雑物は、流入した水の勢いや水位の低下に伴って雨水とともに夾雑物受枠３の方向に誘導され、最終的には夾雑物受枠３の中に溜まることとなる。
【００４０】
さらに、保持板材２６は、樹脂によって高さの低い（薄い）箱状に形成されるもので、板面には通水のための通水孔（不図示）が設けられており、夾雑物受枠３を載置できるように二枚を一組として重ね合わされて所定の強度を有するようにされている。
【００４１】
そして、本実施の形態の夾雑物受枠３は、図５，６に示すように、夾雑物を溜める長尺の本体枠部３１と、この本体枠部３１を支持するとともに雨水を流れやすくする脚部３２と、を備えており、上記した貯留領域Ｔ（貯留水位Ｈ３）よりも上の位置に開口するように設置されている。
【００４２】
また、この夾雑物受枠３の設置方向は、傾斜部材２５を用いて夾雑物を所定の位置に集めるようにすれば、雨水貯留浸透槽２の延設方向に沿って中央に一列だけ配置してやればよい。
【００４３】
加えて、夾雑物受枠３は、一枚当りの厚みが脚材２４や傾斜部材２５と等しい保持板材２６に載置されるものであるため、保持板材２６の設置位置を上下方向に変えることで、夾雑物受枠３の設置深さを任意に変えることができるようになっている。
【００４４】
この本体枠部３１は、樹脂によってコ字状断面の継目のない連続した長尺部材として形成されるもので、側壁は雨水が流入しやすいように先端が外側に開いており、底版には雨水を夾雑物と分離して落下させるために脚部３２の傾斜面３２ａの上部に対向する位置に複数の通水孔３１ａ，・・・が設けられている。
【００４５】
さらに、この円径の通水孔３１ａには、図７に示すように、泥や砂などが落下しないように、夾雑物を溜める内側（設置された状態で上側）に、周囲を囲むように円環状の隆起部３１ｂが形成されている。
【００４６】
また、脚部３２は、図５，６に示すように、雨水を流下させる勢いをつけるための湾曲した傾斜面３２ａと保持板材２６の上に載置される支持部３２ｂとを有しており、傾斜面３２ａの上部が通水孔３１ａに対向するように本体枠部３１の下面に接着して固定されている。
【００４７】
さらに、この夾雑物受枠３は、開口面が貯留水位Ｈ３よりも上に位置しており、頻度の高い通常の降雨によって流入した雨水によっては、内部に溜まった夾雑物が浮き上がらないようにされている。
【００４８】
次に、本実施の形態の雨水貯留浸透システムＳの作用について説明する。
【００４９】
このように、本発明の雨水貯留浸透システムＳは、雨水貯留浸透槽２と夾雑物受枠３とを備える雨水貯留浸透システムＳであって、雨水貯留浸透槽２には雨水を貯留する貯留領域Ｔが設定されるとともに、夾雑物受枠３は貯留領域Ｔよりも上に配置されることを特徴とする。
【００５０】
したがって、貯留領域Ｔよりも上に水位が上昇することはほとんどないため、夾雑物受枠３に溜まった夾雑物が浮遊しにくく、メンテナンス性の良好な雨水貯留浸透システムＳとなる。
【００５１】
つまり、雨が降った際に夾雑物受枠３の開口面よりも上に水位が上昇すると、夾雑物受枠３の内部に溜まった木の葉などの軽い夾雑物は浮遊してしまい、下方に散逸するため回収しにくくなる可能性がある。
【００５２】
そこで、夾雑物受枠３を水位上昇によっても夾雑物が浮遊しない高さに設置することで、夾雑物の浮遊を防止し、回収を容易にすることができる。
【００５３】
この場合、傾斜部材２５と組み合わせて用いることで、夾雑物を所定の位置に集めることができれば、一箇所（一列）で夾雑物を除去できるようになるため、点検マス５の構成を簡単にできるうえに、夾雑物の除去が容易になる。
【００５４】
また、貯留領域Ｔは、オーバーフロー管４０の設置高さＨ１以下かつ雨水貯留浸透槽２の計画水位Ｈ２以上に設定された貯留水位Ｈ３から、雨水貯留浸透槽２の底面までの領域として設定されるため、貯留水位Ｈ３より上には水位が上昇することはほとんどなくなる。
【００５５】
この場合、貯留水位Ｈ３は、設置高さＨ１以上で計画水位Ｈ２以下の範囲では、雨水の落差による水流の勢いなどによって夾雑物が飛散しないような高さで、なるべく下方に設置されることで広い範囲の夾雑物を集めることができるようになる。
【００５６】
また、雨水貯留浸透槽２には保持板材２６が配置されるとともに、夾雑物受枠３には本体枠部３１と脚部３２とが設けられ、夾雑物受枠３は脚部３２を介して保持板材２６に載置されることで、雨水の流れを妨げることなく保持板材２６によって夾雑物受枠３を支持することができる。
【００５７】
つまり、夾雑物受枠３の本体枠部３１を保持板材２６に直接載置すると、通常は本体枠部３１の通水孔３１ａから保持板材２６の通水孔（不図示）を通じて雨水は流下するが、雨水の量が多い場合には、流れが悪くなったり逆流したりする可能性がある。
【００５８】
そこで、脚部３２を介して本体枠部３１を載置すれば、保持板材２６との間に一定の緩衝空間を形成することとなり、雨水の量が多い場合でも流れが悪くなることはない。
【００５９】
さらに、夾雑物受枠３の本体枠部３１には通水孔３１ａが設けられるとともに、脚部３２には傾斜面３２ａが設けられることで、夾雑物受枠３に受け入れた雨水を夾雑物と分離して、速やかに排水することができる。
【００６０】
そして、このように通水孔３１ａや傾斜面３２ａを設けることで、雨水（液体分）を速やかに排水できれば、雨水と分離された木の葉などの夾雑物は乾いた状態で回収できるようになる。
【００６１】
加えて、夾雑物受枠３は、延設方向に連続した継目（隙間）のない溝状の部材として形成されるため、細かい砂でも捕捉できるうえに、捕捉した後の除去の際にもバキュームホースの先端が引っ掛かることもなく除去が容易である。
【実施例１】
【００６２】
以下、図８を用いて、前記実施の形態とは別の形態の雨水貯留浸透システムＳ１について説明する。
【００６３】
なお、前記実施の形態で説明した内容と同一乃至均等な部分の説明については同一符号を付して説明する。
【００６４】
まず、構成について説明すると、本実施例の雨水貯留浸透システムＳ１は、流入管１、雨水貯留浸透槽２、夾雑物受枠３、オーバーフロー管４０、点検マス（不図示）、遮水シート６１、を備えるとともに（図２，３参照）、貯留水位Ｈ３よりも上に設置された一方の夾雑物受枠３よりも下に別の夾雑物受枠３Ａが設置されている。
【００６５】
この下側の夾雑物受枠３Ａは、図５，６，７に示した上側の夾雑物受枠３と略同様に、夾雑物を溜める長尺の本体枠部３１を備えており、上記した貯留領域Ｔにおいて最も低い位置となるように下面部材２７の上に載置されている。
【００６６】
本体枠部３１は、樹脂によってコ字状断面の継目のない連続した長尺部材として形成されるもので、側壁は雨水が流入しやすいように先端が外側に開いており、雨水を落下させる必要がないため底版には通水孔が設けられておらず、脚部も設けられていない。
【００６７】
次に、作用について説明する。
【００６８】
このように、本実施例の雨水貯留浸透槽２には、夾雑物受枠３よりも下に別の夾雑物受枠３Ａが設けられることで、上側の夾雑物受枠３で捕捉されなかった夾雑物を下側の別の夾雑物受枠３Ａによって捕捉することができる。
【００６９】
つまり、夾雑物受枠３から遠い位置から雨水が流入して上側の夾雑物受枠３によって捕捉されない場合や、大雨によって一旦溜まった夾雑物が浮遊したりした場合には、下方に設置された別の夾雑物受枠３Ａによって予備的に二段階に捕捉・回収できる。
【００７０】
そして、別の夾雑物受枠３Ａは、雨水貯留浸透槽２の底部に配置される構成とすることで、上側の夾雑物受枠３で捕捉されなかった夾雑物を、雨水貯留浸透槽２の最下部において効率よく捕捉することができる。
【００７１】
特に、本実施例のように、傾斜部材２５を階段状に配置する構成とする場合には、より下方に夾雑物受枠３Ａを設置すればより広範囲の夾雑物を捕捉・回収できるようになる。
【００７２】
なお、夾雑物受枠３，３Ａは、設置場所の特性に応じて、落ち葉などの軽い夾雑物が多い場合には上側の夾雑物受枠３を大きくし、泥や砂などの重い夾雑物が多い場合には下側の夾雑物受枠３Ａを大きくすることができる。
【００７３】
加えて、夾雑物受枠３，３Ａは、延設方向に連続した継目（隙間）のない溝状の部材として形成されるため、特に二段に設置した場合には下側の夾雑物受枠３Ａで細かい砂も捕捉できるようになる。
【００７４】
なお、この他の構成および作用効果については、前記実施の形態と略同様であるため説明を省略する。
【００７５】
以上、図面を参照して、本発明の最良の実施の形態及び実施例を詳述してきたが、具体的な構成は、この実施の形態又は実施例に限らず、本発明の要旨を逸脱しない程度の設計的変更は、本発明に含まれる。
【００７６】
例えば、前記実施の形態及び実施例では、夾雑物受枠３が保持板材２６に載置されることで固定・設置される場合について説明したが、これに限定されるものではなく、本体枠部３１の側壁部を掛止手段によって脚材２４に掛止するものや、傾斜部材２５に吊下げるものなど、どのような方法によって固定するものであってもよい。
【００７７】
また、前記実施の形態及び実施例では、夾雑物受枠３，３Ａは、脚材２４と略同一高さに形成される場合について説明したが、これに限定されるものではなく、脚材２４の整数倍の高さを有するように構成してもよいし、いずれか一方が深くなるように構成してもよい。
【００７８】
さらに、前記実施例では、上側の夾雑物受枠３と下側の夾雑物受枠３Ａとが同一の幅に形成される場合について説明したが、これに限定されるものではなく、いずれか一方が他方よりも広い幅に形成されるものであってもよい。
【図面の簡単な説明】
【００７９】
【図１】本発明の最良の実施の形態の雨水貯留浸透システムの構成を説明する断面図である。
【図２】雨水貯留浸透システムの全体構成を説明する平面図である。
【図３】雨水貯留浸透システムの全体構成を説明する断面図である。
【図４】本発明の最良の実施の形態の雨水貯留浸透システムの充填部材の構成を説明する分解図である。
【図５】夾雑物受枠の構成を説明する斜視図である。
【図６】夾雑物受枠の構成を説明する断面図である。
【図７】夾雑物受枠の通水孔の構成を説明する断面図である。
【図８】実施例の雨水貯留浸透システムの構成を説明する断面図である。
【符号の説明】
【００８０】
Ｓ          雨水貯留浸透システム
Ｈ１        オーバーフロー管の設置高さ
Ｈ２        計画水位
Ｈ３        貯留水位
１          流入管
２          雨水貯留浸透槽
２１        底面
２５        傾斜部材
２６        保持板材
３，３Ａ    夾雑物受枠
３１        本体枠部
３１ａ      通水孔
３２        脚部
３２ａ      傾斜面
４０        オーバーフロー管
５          点検マス
【図１】
2010106533.tif 000003
【図２】
2010106533.tif 000004
【図３】
2010106533.tif 000005
【図４】
2010106533.tif 000006
【図５】
2010106533.tif 000007
【図６】
2010106533.tif 000008
【図７】
2010106533.tif 000009
【図８】
2010106533.tif 000010